【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
シート材の情報を検出する情報検出手段と、
前記情報検出手段が検出した前記シート材の情報に基づいてシート材を判別する判別手段とを備え、
装置内における前記情報検出手段でシート材の情報が検出可能な位置である情報検出可能位置にシート材の少なくとも一部分が位置する状態で、装置に対してシート材を相対移動させ、該情報検出手段によりシート材上の複数箇所でシート材情報を検出する、画像形成装置外部に位置させて用いられるシート材判別装置であって、
装置に対して相対移動するシート材に前記情報検出手段によるシート材情報の検出が可能であった検出可能時間を検知する検出可能時間検知手段と、
前記検出可能時間検知手段によって検知された前記検出可能時間が、予め設定された第一基準時間よりも短い場合に、シート材の判別を行わないように前記判別手段を制御する制御手段とを有することを特徴とするシート材判別装置。
【請求項２】
請求項１に記載のシート材判別装置において、
前記検出可能時間検知手段は、前記情報検出可能位置に少なくとも一部分が位置するシート材に対して、所定タイミングで前記情報検出手段によるシート材情報の検出が開始されてから、前記情報検出可能位置をシート材が通過し終えるまでの通過時間を計測する計測手段を有しており、
前記計測手段によって計測された前記通過時間を、前記検出可能時間として検知することを特徴とするシート材判別装置。
【請求項３】
請求項２に記載のシート材判別装置において、
前記制御手段は、前記計測手段によって計測された前記通過時間が、前記第一基準時間よりも長い時間である予め設定された第二基準時間よりも長い場合にも、シート材の判別を行わないように前記判別手段を制御することを特徴とするシート材判別装置。
【請求項４】
請求項２または３に記載のシート材判別装置において、
前記シート材の位置を規制するシート材規制手段と、
前記シート材規制手段による規制位置でのシート材の有無を検出するシート材位置検出手段とを有しており、
前記シート材位置検出手段によって前記規制位置にシート材が有ると検出された状態から該規制位置にシート材が無いと検出されたときに、前記情報検出手段によるシート材情報の検出が開始され、
前記計測手段は、前記シート材位置検出手段と前記情報検出手段それぞれの検出結果を用いて前記通過時間を計測することを特徴とするシート材判別装置。
【請求項５】
請求項１、２、３または４に記載のシート材判別装置において、
前記情報検出手段は、シート材の表面に発光手段を発光させて照射した光を複数の受光手段で受光して該シート材の情報を検出するものであり、前記受光手段として、前記発光手段より照射された光のうち、前記シート材を透過した光を受光する透過光受光手段を少なくとも含むことを特徴とするシート材判別装置。
【請求項６】
請求項１、２、３、４または５に記載のシート材判別装置において、
前記情報検出手段は、シート材の表面に発光手段を発光させて照射した光を複数の受光手段で受光して該シート材の情報を検出するものであり、
前記受光手段として、前記発光手段より照射された光のうち、前記シート材において反射された光の偏光成分を受光する反射光偏光成分受光手段を少なくとも含むことを特徴とするシート材判別装置。
【請求項７】
請求項１、２、３、４、５または６に記載のシート材判別装置において、
前記情報検出手段の検出結果に基づいて、前記シート材の銘柄を判定することを特徴とするシート材判別装置。
【請求項８】
請求項１、２、３、４、５または６に記載のシート材判別装置において、
前記情報検出手段の検出結果に基づいて、前記シート材の厚さと表面状態との少なくとも一方を判定することを特徴とするシート材判別装置。
【請求項９】
請求項２、３または４に記載の画像形成装置において、
前記計測手段で計測された前記通過時間に基づいて、前記情報検出手段によるシート材情報検出の良否を判定する情報検出良否判定手段を有することを特徴とするシート材判別装置。
【請求項１０】
請求項９に記載のシート材判別装置において、
前記情報検出良否判定手段の判定結果に基づいて、シート材情報検出の良否を表示する表示手段を有することを特徴とするシート材判別装置。
【請求項１１】
請求項９または１０に記載のシート材判別装置において、
前記情報検出良否判定手段によるシート材情報検出の良否判定に用いる判定条件を、シート材の厚さによって変更することを特徴とするシート材判別装置。
【請求項１２】
請求項１、２、３、４、５、６、７、８、９、１０または１１に記載のシート材判別装置において、
前記情報検出手段によるシート材情報の検出間隔が任意に変更可能であることを特徴とするシート材判別装置。
【請求項１３】
請求項１、２、３、４、５、６、７、８、９、１０、１１または１２に記載のシート材判別装置において、
シート材が載置されるシート材載置部と、
前記シート材載置部を昇降させる昇降手段とを有しており、
前記シート材載置部と前記情報検出手段との間にシート材を挿入して、該情報検出手段によるシート材情報の検出を行うことを特徴とするシート材判別装置。
【請求項１４】
請求項１３に記載のシート材判別装置において、
前記昇降手段による前記シート材載置部の昇降位置が調整可能であることを特徴とするシート材判別装置。
【請求項１５】
請求項１４に記載のシート材判別装置において、
前記昇降手段は電気制御により前記昇降位置が調整可能であることを特徴とするシート材判別装置。
【請求項１６】
請求項２、３、４または９に記載のシート材判別装置において、
シート材が載置されるシート材載置部と、
前記シート材載置部を昇降させる昇降手段とを有しており、
前記シート材載置部と前記情報検出手段との間にシート材を挿入して、該情報検出手段によるシート材情報の検出を行い、
前記昇降手段による前記シート材載置部の昇降位置が調整可能であり、
前記昇降手段は、前記計測手段によって計測された前記通過時間に基づいて、前記昇降位置が調整可能であることを特徴とするシート材判別装置。
【請求項１７】
請求項１４または１５に記載のシート材判別装置において、
前記昇降手段は、前記情報検出手段の検出結果に基づいて、前記昇降位置が調整可能であることを特徴とするシート材判別装置。
【請求項１８】
請求項１３、１４、１５、１６または１７に記載のシート材判別装置において、
前記昇降手段によって前記シート材載置部を昇降させるタイミングを、シート材の位置を規制するシート位置規制手段による規制位置でのシート材の有無を検出するシート位置検出手段の検出結果に基づいて調整することを特徴とするシート材判別装置。
【請求項１９】
シート材に画像を形成する画像形成手段と、
前記シート材の情報を検出し該シート材の判別を行うシート材判別装置とを備えた画像形成装置において、
前記シート材判別装置として、請求項１、２、３、４、５、６、７、８、９、１０、１１、１２、１３、１４，１５、１６、１７または１８に記載のシート材判別装置を画像形成装置外部に設けたことを特徴とする画像形成装置。
【請求項２０】
請求項１９に記載の画像形成装置において、
前記シート材判別装置の判別結果に基づいて画像形成条件を設定することを特徴とする画像形成装置。